(57)【要約】      （修正有）【課題】センシング部の位置の変化に関する自由度を高めることが可能な生体情報測定装置を提供する。【解決手段】ユーザにより把持が可能な部材に取り付け可能であり又は設けられるセンサ取り付け部と、前記センサ取り付け部に取り付け可能な光学式のセンシング部とを含み、前記センサ取り付け部に対する前記センシング部の取り付け位置が可変である、生体情報測定装置１。【選択図】図１
2019083861.tif 000002
【特許請求の範囲】
【請求項１】
ユーザにより把持が可能な部材に取り付け可能であり又は設けられるセンサ取り付け部と、
前記センサ取り付け部に取り付け可能な光学式のセンシング部とを含み、
前記センサ取り付け部に対する前記センシング部の取り付け位置が可変である、生体情報測定装置。
【請求項２】
ユーザにより把持が可能な前記部材は、マウス型の入力装置、歯ブラシ、髭剃り、ステアリングハンドルのうちの少なくともいずれか１つである、請求項１に記載の生体情報測定装置。
【請求項３】
前記センシング部は、前記センサ取り付け部に磁力により結合される、請求項１又は２に記載の生体情報測定装置。
【請求項４】
前記センシング部及び前記センサ取り付け部のうちの一方は、磁石を有し、他方は、前記磁石が嵌ることが可能な穴を複数備え、
前記センサ取り付け部に対する前記センシング部の取り付け位置は、複数の前記穴のうちの前記磁石が嵌る穴を変化させることで可変である、請求項３に記載の生体情報測定装置。
【請求項５】
前記磁石と前記穴の底部との間には、ドーム状に形成され反転動作可能なスイッチが設けられる、請求項４に記載の生体情報測定装置。
【請求項６】
前記スイッチからのオン／オフ情報と、前記センシング部で得られる受光量情報とに基づいて、前記ユーザの生体情報を生成する処理部を更に含む、請求項５に記載の生体情報測定装置。
【請求項７】
前記センシング部は、前記センサ取り付け部にスライド機構によりスライド可能に結合される、請求項１に記載の生体情報測定装置。
【請求項８】
前記スライド機構は、前記センシング部及び前記センサ取り付け部間のスライド方向の相対的な動きに対する抵抗が、スライドストローク内の複数の位置で変化するように、形成される、請求項７に記載の生体情報測定装置。
【請求項９】
ユーザにより把持が可能な部材であって、
取り付け位置が可変となる態様で生体情報測定装置の光学式のセンシング部が取り付けられるセンサ取り付け部を備える、部材。
【発明の詳細な説明】
【技術分野】
【０００１】
本開示は、生体情報測定装置及びユーザにより把持が可能な部材に関する。
【背景技術】
【０００２】
コンピュータを操作するユーザの脈波情報（生体情報の一例）を、マウスの筐体に設けた生体情報測定装置で測定する脈波センサが知られている。
【先行技術文献】
【特許文献】
【０００３】
【特許文献１】特開２０１４−１６６２１５号公報
【発明の概要】
【発明が解決しようとする課題】
【０００４】
しかしながら、上記のような従来技術では、生体情報測定装置のセンシング部の位置の変化に関する自由度を高めることが難しい。例えば、上記のような従来技術では、センシング部の位置が固定されているので、センシング部の位置の変化に関する自由度が無く、利便性が低い。例えば、ユーザの手の大きさはまちまちであり、例えば平均的な成人男性の手を想定した位置にセンシング部を配置すると、手の小さな女性や子供がマウスを握りながらセンシング部を指で触れようとすると、手が不自然な状態となるおそれがある。不自然な手の状態で測定を行うと、測定精度が低下するおそれがある。
【０００５】
そこで、１つの側面では、本発明は、生体情報測定装置のセンシング部の位置の変化に関する自由度を高めることを目的とする。
【課題を解決するための手段】
【０００６】
１つの側面では、ユーザにより把持が可能な部材に取り付け可能であり又は設けられるセンサ取り付け部と、
前記センサ取り付け部に取り付け可能な光学式のセンシング部とを含み、
前記センサ取り付け部に対する前記センシング部の取り付け位置が可変である、生体情報測定装置が提供される。
【発明の効果】
【０００７】
１つの側面では、本発明によれば、生体情報測定装置のセンシング部の位置の変化に関する自由度を高めることが可能となる。
【図面の簡単な説明】
【０００８】
【図１】実施例１による生体情報測定装置１の外観を概略的に示す図である。
【図２】生体情報測定装置１の制御系のハードウェア構成の一例を示す図である。
【図３】実施例１による生体情報測定装置１が取り付けられたマウス５を示す概略図である。
【図４】マウス５の筐体５００に設けられる生体情報測定装置１の測定動作の説明図である。
【図５】マウス５に対するセンシング部４０の取り付け位置の可変態様の説明図である。
【図６】生体情報測定装置１のＣＰＵ１３８により実行される処理の一例を説明するためのフローチャートである。
【図７】センサ取付部材の変形例の説明図である。
【図８】図７のラインＶＩＩＩ−ＶＩＩＩに沿った断面図である。
【図９】センサ取付部材８０Ｂとセンサ筐体７１Ｂを概略的に示す平面図である。
【図１０】図９のラインＸ−Ｘに沿った断面図である。
【発明を実施するための形態】
【０００９】
以下、添付図面を参照しながら各実施例について詳細に説明する。
【００１０】
［実施例１］
図１は、実施例１による生体情報測定装置１の外観を概略的に示す図である。
【００１１】
生体情報測定装置１は、センサ筐体７１と、制御部筐体７２と、センサ取付部材８０（センサ取り付け部の一例）とを含む。
【００１２】
実施例１では、一例として、センサ筐体７１及び制御部筐体７２は、互いに分離した筐体である。但し、変形例では、センサ筐体７１及び制御部筐体７２は、一体の筐体であってもよい。尚、図１に示す例では、センサ筐体７１内の電子部品（例えば後述のドライブ回路１１０等）と制御部筐体７２内の電子部品（例えば後述のインターフェース１３２）とはケーブル７３で接続されているが、無線で通信可能に接続されてもよい。
【００１３】
センサ筐体７１は、後述の発光部２０及び受光部３０の筐体として機能する。制御部筐体７２は、後述の制御部１７０や無線通信部１４２等の筐体として機能する。
【００１４】
センサ取付部材８０は、ユーザにより把持が可能な部材に取り付けられる。ユーザにより把持が可能な部材は、任意であり、例えば、マウス型の入力装置、歯ブラシ、髭剃り、ステアリングハンドル、ドライヤ、携帯電話、スマートフォン、タブレット端末、携帯型ゲーム機等でありうる。実施例１では、一例として、ユーザにより把持が可能な部材は、マウス型の入力装置であるマウス５（図３参照）であるものとする。センサ取付部材８０は、センサ筐体７１をマウス５に取り付ける際に機能する。
【００１５】
実施例１では、一例として、センサ取付部材８０は、磁性体であり、シート状の形態である。実施例１では、一例として、センサ取付部材８０は、平らな表面を有する。センサ取付部材８０の更なる詳細は後述する。
【００１６】
図２は、生体情報測定装置１の制御系のハードウェア構成の一例を示す図である。図２には、情報機器２００も併せて示されている。
【００１７】
生体情報測定装置１は、発光部２０と、受光部３０と、制御部１７０を備える。
【００１８】
発光部２０は、センサ筐体７１（図１参照）内に設けられ、センサ筐体７１の光学窓１１（図３参照）を介して外部に向けて光を照射する。発光部２０は、例えばＬＥＤ（Light-Emitting Diode）により形成される。
【００１９】
受光部３０は、発光部２０と同じセンサ筐体７１（図示せず）内に設けられ、光学窓１１を介して光を受光する。発光部２０は、例えば２つの波長の異なるＬＥＤ（Light-Emitting Diode）により形成される。受光部３０は、発光部２０と同じセンサ筐体７１（図示せず）内に設けられ、光を受光する。受光部３０は、例えばフォトダイオードにより形成される。発光部２０、受光部３０、及び光学窓１１は、生体情報測定装置１のセンシング部４０を形成する。
【００２０】
制御部１７０は、インターフェース１３２、メモリ１３４、タイマ１３６、ＣＰＵ（Central Processing Unit）１３８（処理部の一例）、及びＡＤＣ(Analog to Digital Converter)１４０を備える。
【００２１】
制御部１７０には、ドライブ回路１１０及び増幅回路１２０が電気的に接続される。また、制御部１７０には、電源１３０が電気的に接続される。また、制御部１７０には、無線通信部１４２が電気的に接続される。制御部１７０は、ドライブ回路１１０を介して発光部２０を駆動制御し、受光部３０及びＡＤＣ(Analog to Digital Converter)１４０を介して得られる受光信号を処理して、生体情報を生成する。
【００２２】
実施例１では、一例として、制御部１７０は、受光部３０で得る受光量情報に基づいて、生体情報として、脈波及びヘモグロビンに関連する測定値を生成する。例えば、受光量の変化は、血管の容積変化に応じて生じるため、脈波情報（容積脈波）を得ることができる。また、受光量の変化は、血流内のヘモグロビンの濃度変化に応じて生じるため、ヘモグロビンに関連する測定値を得ることができる。例えば、制御部１７０は、脈波の測定値と、ヘモグロビンに関連する測定値の一例であるΔＨｂの測定値を生成する。尚、ΔＨｂは、オキシヘモグロビンの濃度と、デオキシヘモグロビンの濃度と、それらの合計値の３種類の値を有する。
【００２３】
制御部１７０は、生成した生体情報を、インターフェース１３２を介して無線通信部１４２に与える。無線通信部１４２は、生体情報を、アンテナ１４４を介して、情報機器２００に送信する。また、無線通信部１４２は、アンテナ１４４を介して、情報機器２００から無線信号を受信する。尚、このようなアンテナ１４４を介した無線通信（データ通信）は、例えばBluetooth（登録商標）に基づいてよい。また、変形例では、生体情報測定装置１は、情報機器２００に、例えばUSB（Universal Serial Bus）などの有線で電気的に接続されてよい。
【００２４】
制御部１７０には、スイッチ群１８０が電気的に接続される。スイッチ群１８０は、複数のドームスイッチ１８１（図４参照）を含む。ドームスイッチ１８１からのオン／オフ情報は、制御部１７０に与えられる。ドームスイッチ１８１の配置等について後述する。
【００２５】
情報機器２００は、例えばユーザのＰＣ（Personal Computer）や、スマートフォン、タブレット端末等でありうる。情報機器２００は、表示部２０１を有する。実施例１では、一例として、情報機器２００は、後述のマウス５と通信可能なＰＣ（表示部２０１付きのＰＣ）であるとする。尚、マウス５と情報機器２００との間の通信は、有線又は無線により実現されてよい。
【００２６】
図３は、実施例１による生体情報測定装置１が取り付けられたマウス５を示す概略図である。
【００２７】
マウス５は、マウス型の入力装置であり、筐体５００を有する。マウス５は、各種の操作部を含む。例えば、図３に示す例では、マウス５は、ユーザにより回転操作可能なホイール５０１を含む。また、マウス５は、ユーザの右手による操作の際に、人差し指が置かれる操作部位５０２と、中指が置かれる操作部位５０３とを含む。ユーザは、筐体５００を握りながら、操作部位５０２及び操作部位５０３を押したり、ホイール５０１を回転させたり等することで、マウス５を介して各種の入力操作を行うことができる。
【００２８】
生体情報測定装置１は、図３に示すように、センサ筐体７１（及びそれに伴いセンシング部４０）がマウス５の筐体５００に取り付けられる。センサ筐体７１は、筐体５００に取り外し可能に取り付けられる。
【００２９】
実施例１では、一例として、センサ筐体７１は、センサ取付部材８０に磁力により結合される。
【００３０】
具体的には、センサ取付部材８０は、図３に示すように、筐体５００に取り付けられる。センサ取付部材８０は、筐体５００に取り外し可能に取り付けられてもよいが、固定されてもよい。例えば、センサ取付部材８０は、両面テープや接着剤等により筐体５００に固定される。但し、変形例では、センサ取付部材８０は、筐体５００に一体に形成されてもよい。この場合、筐体５００の一部（センサ取付部材８０が形成される部位）が磁性体とされる。
【００３１】
センサ筐体７１には、図１に概略的に示すように、磁石８２が取り付けられる（図４参照）。磁石８２は、センサ筐体７１における裏側（光学窓１１が形成される側とは逆側）に設けられる。磁石８２は、複数個設けられてもよい。実施例１では、一例として、図１に示すように、３つの磁石８２が設けられる。磁石８２は、センサ筐体７１に取り外し可能に取り付けられてもよいが、固定されてもよい。例えば、磁石８２は、両面テープや接着剤等によりセンサ筐体７１に固定される。但し、変形例では、磁石８２は、センサ筐体７１に一体に形成されてもよい。
【００３２】
従って、センサ筐体７１は、磁石８２にセンサ取付部材８０が吸着されることで、センサ取付部材８０に結合される。センサ取付部材８０における磁石８２への吸着位置は容易に変えることができる。このようにして、実施例１では、マウス５に対するセンシング部４０の取り付け位置が可変となる。
【００３３】
センサ筐体７１は、好ましくは、図３に示すように、マウス５の筐体５００における、操作するユーザの手の親指が触れる領域に、センシング部４０が位置するように配置される。センシング部４０は、操作するユーザの手の親指が触れている際に、該親指に係る生体情報を取得できる部位である。これにより、ユーザは、マウス５を手で持つ状態で、生体情報の測定（生成）が可能となる。
【００３４】
図４は、マウス５の筐体５００に設けられる生体情報測定装置１の測定動作の説明図であり、測定対象の人の指（人体）の表面が接する状態の生体情報測定装置１を断面視で非常に概略的に示す図である。図４では、説明上、生体情報測定装置１及び筐体５００の断面は、非常に概略的に示されている。また、図４では、生体情報測定装置１は、センサ筐体７１が図示され、制御部筐体７２及びケーブル７３の図示は省略されている。尚、図４に示す例では、制御部筐体７２は、光学窓１１を備える。光学窓１１は、測定光に対して透過率が高い材料により形成される。
【００３５】
測定時、生体情報測定装置１のセンシング部４０に指が接触する。この接触状態で、発光部２０が外部へと光を放出すると、図３にて矢印Ｒ１で模式的に示すように、光の一部は指を通って受光部３０側に向かう。そして、指を通った光の一部は、受光部３０に入射する。受光部３０では、受光結果に応じた電気信号（受光信号）が生成される。受光部３０からの受光信号は、制御部１７０で処理され、上述の生体情報が生成される。
【００３６】
ところで、ユーザの手の大きさはまちまちである。一般的に、平均的な成人男性の手よりも、女性や子供の手は小さい傾向がある。従って、マウス５に対するセンシング部４０の位置を固定すると、ユーザによっては、マウス５に対するセンシング部４０の位置が、マウス５を把持する自然な状態でちょうど親指が触れる理想的な位置からずれる場合がある。マウス５を把持する自然な状態でセンシング部４０にちょうど親指が触れない場合に、センシング部４０に親指が触れるようにすると、手が不自然な状態となるおそれがある。不自然な手の状態で測定を行うと、測定精度が低下するおそれがある。
【００３７】
この点、実施例１によれば、上述のように、マウス５に対するセンシング部４０の取り付け位置が可変となるので、ユーザは、センシング部４０の位置を変化させることができる。これにより、例えば、ユーザは、マウス５を把持する自然な状態でセンシング部４０にちょうど親指が触れない場合には、センシング部４０の位置を変化させることができる。即ち、ユーザは、マウス５に対するセンシング部４０の位置を、マウス５を把持する自然な状態でセンシング部４０にちょうど親指が触れる理想的な位置に合わせることができる。例えば、図５では、図３に比べて、マウス５に対するセンシング部４０の取り付け位置がユーザに近い側（手を伸ばす方向に沿って手首に近い側）に配置する。この結果、不自然な手の状態で測定を行う必要性がなくなり、手の大きさが異なる多様なユーザが使用する場合でも、ユーザごとに安定した測定精度を確保できる。
【００３８】
尚、実施例１では、筐体５００側のセンサ取付部材８０が磁性体であり、センサ筐体７１に磁石８２が取り付けられているが、逆であってもよい。即ち、センサ筐体７１における裏側（光学窓１１が形成される側とは逆側）に磁性体が設けられ、筐体５００側に磁石（センサ取り付け部の他の一例）が取り付けられてもよい。また、磁性体に代えて、磁石８２の極性（センサ取付部材８０に対向する側の端面の極性）とは逆の極性の磁石が用いられてもよい。
【００３９】
実施例１では、一例として、磁石８２とセンサ取付部材８０との間には、図４に示すように、ドーム状に形成され反転動作可能なドームスイッチ１８１が設けられる。尚、変形例では、ドームスイッチ１８１は、複数の磁石８２のうちの一部の磁石に対してのみ設けられてもよい。
【００４０】
実施例１では、一例として、図１に模式的に示すように、ドームスイッチ１８１は磁石８２側に設けられる。この場合、ドームスイッチ１８１と制御部１７０との間の電気的な接続のための配線（図示せず）が容易となる。但し、変形例では、ドームスイッチ１８１がセンサ取付部材８０側に設けられてもよい。この場合、制御部１７０は、例えば無線通信部１４２を介して、ドームスイッチ１８１からのオン／オフ情報をマウス５側から取得してよいし、マウス５と通信可能な情報機器２００を介してドームスイッチ１８１からのオン／オフ情報を取得してよい。
【００４１】
ドームスイッチ１８１は、ユーザによりセンサ筐体７１が僅かに押圧されて反転動作するときにユーザにクリック感を与える機能を有する。反転動作させるために必要なユーザからの押圧力は、指が光学窓１１に触れる際の適正な接触圧に対応するレベルに設定される。即ち、指が必要以上に圧迫されないレベルに設定される。この場合、ユーザは、クリック感が得られた状態で指を保持することで、適正な接触圧での測定が可能となる。
【００４２】
図６は、生体情報測定装置１のＣＰＵ１３８により実行される処理の一例を説明するためのフローチャートである。
【００４３】
ステップＳ６００では、ＣＰＵ１３８は、ドームスイッチ１８１からのオン／オフ情報に基づいて、ドームスイッチ１８１がオン状態であるか否かを判定する。ドームスイッチ１８１がオン状態であることは、ユーザが測定のためにセンサ筐体７１（センシング部４０）を押している状態である可能性が高いことを意味する。判定結果が"ＹＥＳ"の場合は、ステップＳ６０１に進み、それ以外の場合は、ステップＳ６１０に進む。
【００４４】
ステップＳ６０１では、ＣＰＵ１３８は、センシング部４０が起動済み（オン状態）であるか否かを判定する。判定結果が"ＹＥＳ"の場合は、ステップＳ６０２に進み、それ以外の場合は、ステップＳ６０８に進む。
【００４５】
ステップＳ６０２では、ＣＰＵ１３８は、受光部３０から受光量情報を取得する。受光量情報は、所定のメモリ領域に記憶される。
【００４６】
ステップＳ６０４では、ＣＰＵ１３８は、所定のメモリ領域内の受光量情報（時系列波形）に基づいて、生体情報を生成する。
【００４７】
ステップＳ６０６では、ＣＰＵ１３８は、ステップＳ６０４で生成した生体情報を情報機器２００に送信する。
【００４８】
ステップＳ６０８では、ＣＰＵ１３８は、センシング部４０を起動する。即ち、センシング部４０に電源１３０からの電源を供給可能な状態として、センシング部４０を起動させる。
【００４９】
ステップＳ６１０では、ＣＰＵ１３８は、センシング部４０を停止させる。尚、センシング部４０が既に停止状態であるときは、ステップＳ６１０の処理は省略される。
【００５０】
図６に示す処理によれば、ドームスイッチ１８１がオン状態である場合に生体情報を生成できる。これにより、適切な接触圧で指がセンシング部４０に触れている可能性が高い状態で測定が実現されるので、高い精度の生体情報が得られる可能性を高めることができる。
【００５１】
次に、図７乃至図８を参照して、センサ取付部材の変形例について説明する。
【００５２】
図７及び図８は、好ましい例によるセンサ取付部材８０Ａの説明図である。図７は、センサ取付部材８０Ａの平面図である。図８は、図７のラインＶＩＩＩ−ＶＩＩＩに沿った断面図である。
【００５３】
センサ取付部材８０は、磁石８２が嵌ることが可能な穴８０１を複数備える。図７及び図８に示す例では、穴８０１は、所定のピッチで、マトリックス状に２次元配置されている。所定のピッチは、センサ筐体７１における磁石８２のピッチと同じであってよい。所定のピッチは、例えば３〜４ｍｍ程度であってよい。２次元配置されることで、マウス５に対するセンシング部４０の取り付け位置の調整自由度が向上する。即ち、マウス５の上下方向における調整も可能となる。但し、変形例では、穴８０１は、マウス５の前後方向に沿って一列に並ぶ態様で設けられてもよい。
【００５４】
図７及び図８に示す例によれば、センサ取付部材８０は、磁石８２が嵌ることが可能な穴８０１を複数備えるので、マウス５に対するセンシング部４０の取り付け位置が所定のピッチごとに可変となる。即ち、マウス５に対するセンシング部４０の取り付け位置は、複数の穴８０１のうちの磁石８２が嵌る穴８０１（実施例１では、３つの穴８０１）を変化させることで可変となる。
【００５５】
［実施例２］
実施例２は、上述した実施例１に対して、磁石８２が突出部８３で代替され、かつ、センサ取付部材８０がセンサ取付部材８０Ｂで代替された点が主に異なり、他の構成は同様であってよい。上述した実施例１では、上述のように、センサ筐体７１がセンサ取付部材８０に磁力により結合されるのに対して、実施例２では、センサ筐体７１（及びそれに伴いセンシング部４０）は、センサ取付部材８０Ｂにスライド機構を介してスライド可能に結合される。以下の説明において、上述した実施例１と同様である構成要素については、同一の参照符号を用いて説明を省略する場合がある。
【００５６】
図９は、センサ取付部材８０Ｂとセンサ筐体７１を概略的に示す平面図であり、センサ筐体７１がセンサ取付部材８０Ｂに取り付けられた状態を示す。図１０は、図９のラインＸ−Ｘに沿った断面図である。図９には、Ｙ方向が定義されている。Ｙ方向は、マウス５の前後方向に対応する。
【００５７】
センサ筐体７１は、裏側（光学窓１１が形成される側とは逆側）に突出部８３を備える。突出部８３は、磁石である必要はなく、例えば樹脂等により形成される。突出部８３は、センサ筐体７１における裏側（光学窓１１が形成される側とは逆側）に設けられる。突出部８３は、複数個設けられてもよい。実施例１では、一例として、図１０に示すように、３つの突出部８３が設けられる。突出部８３は、センサ筐体７１に取り外し可能に取り付けられてもよいが、固定されてもよい。例えば、突出部８３は、両面テープや接着剤等によりセンサ筐体７１に固定される。但し、変形例では、突出部８３は、センサ筐体７１に一体に形成されてもよい。
【００５８】
突出部８３は、後述のセンサ取付部材８０Ｂのスライド溝８１０に嵌る形態である。突出部８３は、スライド溝８１０と協動してスライド機構を形成する。突出部８３の側部（Ｙ方向に垂直な方向を法線とする側部）には、図１０に示すように、凸部８１２が取り付けられる。凸部８１２は、平面視で後述の凹部８１１に嵌る形態である。尚、凸部８１２は、球体物が弾性体で外側（スライド溝８１０の側部）に向けて付勢されている構成であってもよい。
【００５９】
センサ取付部材８０Ｂは、磁性体である必要はなく、例えば樹脂等により形成される。センサ取付部材８０Ｂは、スライド溝８１０を有する。スライド溝８１０には、図１０に示すように、突出部８３がＹ方向にスライド可能に嵌合される。図９及び図１０に示す例では、スライド溝８１０は、複数本形成される。この場合、マウス５に対するセンシング部４０の取り付け位置の調整自由度が向上する。即ち、マウス５の上下方向における調整も可能となる。
【００６０】
実施例２によっても、上述した実施例１と同様に、マウス５に対するセンシング部４０の取り付け位置が可変となる。即ち、センサ筐体７１をセンサ取付部材８０Ｂに対してスライドさせることで、マウス５に対するセンシング部４０の取り付け位置が可変となる。
【００６１】
実施例２において、スライド溝８１０は、好ましくは、平面視で凹部８１１（Ｙ方向に垂直な方向に凹む凹部）が所定のピッチで形成される。即ち、スライド溝８１０は、溝幅が周期的に変化し、凹凸が周期的に生じる。センサ筐体７１をセンサ取付部材８０Ｂに対してスライドさせる際に、凹部８１１の位置に凸部８１２が来ると、凸部８１２の弾性変形量が低減し、凹部８１１の位置以外の位置に凸部８１２が来ると、凸部８１２の弾性変形量が増加する。即ち、センシング部４０及びセンサ取付部材８０Ｂ間のスライド方向の相対的な動きに対する抵抗が、スライドストローク内の複数の位置で変化する。これにより、センサ筐体７１をセンサ取付部材８０Ｂに対してスライドさせる際に、所定のピッチごとにクリック感が生じる。尚、凸部８１２が摺動するスライド溝８１０の側部（Ｙ方向に垂直な方向を法線とする側部）は、金属等により形成されてもよい。
【００６２】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００６３】
例えば、センサ筐体７１と筐体５００との間の結合は、マジックテープ(Magic Tape)（登録商標）、ベルクロ(Velcro)（登録商標）等により実現されてよい。例えば、マジックテープの場合は、マジックテープの一方側（センサ取り付け部の他の一例）が筐体５００に固定され、他方側がセンサ筐体７１に固定される。この場合も、マウス５に対するセンシング部４０の取り付け位置が可変となる。
【００６４】
また、上述した実施例１や実施例２では、ドームスイッチ１８１が設けられるが、これに限られない。例えば、ドームスイッチ１８１が省略されてもよい。或いは、ドームスイッチ１８１に代えて、ドーム状に形成され反転動作可能な部位（スイッチとして機能しない部位）が設けられてもよい。この場合、図６に示したようなドームスイッチ１８１のオン状態をトリガとして測定を行うことは不能となるが、クリック感（適切な接触圧）を付与する効果は依然として得られる。
【符号の説明】
【００６５】
１  生体情報測定装置
５  マウス
１１  光学窓
２０  発光部
３０  受光部
４０  センシング部
７１  センサ筐体
７２  制御部筐体
７３  ケーブル
８０  センサ取付部材
８０Ａ  センサ取付部材
８０Ｂ  センサ取付部材
８２  磁石
８３  突出部
１１０  ドライブ回路
１２０  増幅回路
１３０  電源
１３２  インターフェース
１３４  メモリ
１３６  タイマ
１４２  無線通信部
１４４  アンテナ
１７０  制御部
１８０  スイッチ群
１８１  ドームスイッチ
２００  情報機器
２０１  表示部
５００  筐体
５０１  ホイール
５０２  操作部位
５０３  操作部位
８０１  穴
８１０  スライド溝
８１１  凹部
８１２  凸部
【図１】
2019083861.tif 000003
【図２】
2019083861.tif 000004
【図３】
2019083861.tif 000005
【図４】
2019083861.tif 000006
【図５】
2019083861.tif 000007
【図６】
2019083861.tif 000008
【図７】
2019083861.tif 000009
【図８】
2019083861.tif 000010
【図９】
2019083861.tif 000011
【図１０】
2019083861.tif 000012